(57)【要約】【課題】  本発明は、建物の外階段の安全性を確保するとともに、使用者のプライバシーを守ることができ、複雑な形状の外階段であってもコストをおさえつつ建物の外観の意匠性を向上させることができる建物を提供することを目的とする。【解決手段】  本発明に係る建物の代表的な構成は、躯体内部に外階段を有する建物であって、前記外階段の少なくとも１面が前記建物の外周部に接して面しており、前記外階段が接する前記外周部の面のうちの少なくとも１面は、前記建物の外に開口した開口部を有し、前記開口部に通風性、採光性、視線の遮蔽性を備えたスクリーンパネルを配置したことを特徴とする。【選択図】      図１
2007070960.tif 000002
【特許請求の範囲】
【請求項１】
躯体内部に外階段を有する建物であって、
前記外階段の少なくとも１面が前記建物の外周部に接して面しており、
前記外階段が接する前記外周部の面のうちの少なくとも１面は、前記建物の外に開口した開口部を有し、
前記開口部に通風性、採光性、視線の遮蔽性を備えたスクリーンパネルを配置したことを特徴とする建物。
【請求項２】
請求項１記載の建物であって、前記スクリーンパネルは、桟材が水平方向の成分と垂直方向の成分を有するように複数組み合わせて形成されたことを特徴とする建物。
【請求項３】
請求項２記載の建物であって、前記スクリーンパネルは、水平方向、垂直方向の夫々について板状の桟材の面どうしが等間隔で対向するように複数組み合わせて形成されたことを特徴とする建物。
【請求項４】
請求項３記載の建物であって、前記スクリーンパネルの格子開口部は、建物側が狭くなるように少なくとも対向する二つの内面が傾斜面を有し、外側から該二つの内面に当接する留具を建物の躯体に固定することにより、前記スクリーンパネルを建物の躯体に固定することを特徴とする建物。
【発明の詳細な説明】
【技術分野】
【０００１】
本発明は、躯体内部に外階段を有する建物に関するものである。
【背景技術】
【０００２】
一般に、建物の外階段はつまずきや踏み外しの事故の起き易い部位であることから、自然採光を得て足元を明るくするために開放的に作るのが普通であった。
【０００３】
ところが、このことが却って使用者のプライバシーを損ねていた。例えば、開放的な階段は、鉄骨造であることが多く、付属する転落防止の手摺も外部からの視線を遮るのに十分とはいえないため、特に女性が昇降時に歩行者や近隣住民に見上げられるのを恐れて使用をためらうなどと言う光景が絶えなかった。
【０００４】
そこで、使用者のプライバシーを守る為に転落防止手摺の腰の部分に目隠しとなる不透明な面材を施した建物が提案されている（特許文献１、２参照）。
【０００５】
【特許文献１】特開平９−２３５８４９号公報
【特許文献２】登録実用新案第３０３４２３６号公報
【発明の開示】
【発明が解決しようとする課題】
【０００６】
しかしながら、外階段のパターンは単純な直階段ばかりではなく、Ｕターン形式やＪターン形式などがあり、更に特許文献１に示すようにターン部分を曲線で構成したものや、特許文献２に示すように螺旋状のものまで多種多様である。このような複雑な形状の外階段においては多種類の面材部品を必要とし、部品として複雑であるがゆえに、コストがかかり、建物の外観の意匠性も損なうという問題があった。
【０００７】
また、手摺の腰の部分に不透明な面材を施しても腰より上の部分は開放されたままで、使用者が近隣を見下ろす状態となり、近隣住民のプライバシーを保護することが困難であるという問題が相変わらず存在した。この為近隣住民より目隠しの増設を求められることもあり、更なる費用の負担や意匠性の低下を招く原因となることもあった。
【０００８】
そこで本発明は、通風性や採光性を確保しながらも、昇降の際の使用者や近隣住民のプライバシーを守ることができ、更に外階段の形状が複雑であってもコストをおさえつつ建物の外観の意匠性を向上させることができる建物を提供することを目的とする。
【課題を解決するための手段】
【０００９】
上記課題を解決するために本発明に係る建物の第１の構成は、躯体内部に外階段を有する建物であって、前記外階段の少なくとも１面が前記建物の外周部に接して面しており、前記外階段が接する前記外周部の面のうちの少なくとも１面は、前記建物の外に開口した開口部を有し、前記開口部に通風性、採光性、視線の遮蔽性を備えたスクリーンパネルを配置したことを特徴とする。
【００１０】
また、本発明に係る建物の第２の構成は、前記第１の構成の建物において、前記スクリーンパネルは、桟材が水平方向の成分と垂直方向の成分を有するように複数組み合わせて形成されたことを特徴とする。
【００１１】
また、本発明に係る建物の第３の構成は、前記第２の構成の建物において、前記スクリーンパネルは、水平方向、垂直方向の夫々について板状の桟材の面どうしが等間隔で対向するように複数組み合わせて形成されたことを特徴とする。
【００１２】
また、本発明に係る建物の第４の構成は、前記第２又は第３の構成の建物において、前記スクリーンパネルの桟開口部は、少なくとも対向する二つの内面の間隔が建物の外側から内側に向かって狭くなるような傾斜面をなし、該二つの内面に当接する当接部とボルトを挿通するボルト穴とボルト頭部を埋没させボルトの回動を抑制する凹部とを有する留具を建物の外側から桟開口部内部に埋没するように嵌め、建物の躯体から取り出した支持部材にボルト固定することにより、前記スクリーンパネルを建物の躯体に固定することを特徴とする。なお、ここで「対向」とは、平行な位置関係に限定されるものではない。
【発明の効果】
【００１３】
以上説明したように、第１の構成の建物では、通風性、採光性、視線の遮蔽性を備えたスクリーンパネルを、外階段にではなく建物の躯体に開口した開口部に配置することによって、外階段の形状が複雑であってもその形状に左右されず単一の面からなるパネルで対応することができるので、製造コストや施工コストをおさえつつ建物の外観の意匠性をも向上させることができる。
【００１４】
また、本発明のスクリーンパネルはその上下端や左右端もしくはその両方を建物の躯体から直接あるいは他の部材を介して取り出した支持部材に堅固に固定することが可能で、構造的に不利な片持ち梁状態を避けることができる。従って、スクリーンパネルの断面性能を低く設定しても構造安全性を確保しやすいので、スクリーンパネルの軽量化による施工性の向上やコストの低減をはかることができる。
【００１５】
また、第２、第３の構成の建物では、同時に水平方向と上下方向の視線を制限でき、特に水平移動と上下移動を行う外階段において、視線の遮蔽効果を高めることができる。
【００１６】
また、本発明のスクリーンパネルは風圧力を受け難く、構造安全性を更に確保しやすいので、スクリーンパネルの軽量化による施工性の向上やコストの低減を更にはかることができる。
【００１７】
また、第４の構成の建物では、スクリーンパネルから留具やボルトが突出することなく固定することができるので、建物の外観の意匠性を向上させることができる。
【００１８】
また、前記留具によって同一形状の桟開口部が連続するスクリーンパネルの任意の桟開口部での固定が可能であり、スクリーンパネルを固定する支持部材の位置設定の自由度を向上させることができる。
【００１９】
また、ボルトの頭部が留具に埋没しなおかつ回動が抑制されているので、施工の際にはボルトの頭部を押さえておく必要がないので建物の内側からの作業だけでスクリーンパネルの取り付けが可能であり、完成後は、建物の外側からボルトを緩めてスクリーンパネルを外すことが回避でき建物の防犯性能を向上させることができる。
【発明を実施するための最良の形態】
【００２０】
[第一実施形態]
本発明に係る建物の第一実施形態について、図を用いて説明する。図１は本実施形態にかかる建物の斜視図である。図２はスクリーンパネルを取り付ける前の建物の斜視図である。図３、図４は本実施形態のスクリーンパネルの取り付け構造の説明図である。
【００２１】
（建物の構成）
図１、図２に示すように、建物１は、外階段２、スクリーンパネル３、共用エントランス４を有する鉄骨ラーメン構造の４階建の集合住宅である。なお、本発明は構造形式、階数及び用途がこれに限定されるものではなく、外階段を有する２階以上の全ての建物に適用できる。
【００２２】
図２に示すように、外階段２は、建物１の躯体内部に設けられている。外階段２は昇り始める位置と昇りきる位置が平面的に同一辺になるＵターン形式であり、建物１内の隅部に１階から４階に渡って連層状態で設けられている。外階段２の背面と右側面の２面は建物１の外周部１ａに接しており、外階段２が接している外周部２面のうちの外階段２の右側面が接している面は、建物１の外に開口した四角形の開口部１ｂを有している。
【００２３】
ラーメン構造や軸組構造の場合、建物１の躯体は、柱や梁等で構成された枠体であり、柱や梁等の構造体で囲まれた部分を開口部１ｂとすることができる。また、壁式構造の場合、建物１の躯体は、構造壁や床スラブで構成された枠体であり、構造壁をくり抜くことで開口部１ｂを設けることができる。
【００２４】
なお、開口部１ｂの形状は、四角形に限定されるものではなく、円形、菱形等様々な形状とすることも可能である。
【００２５】
スクリーンパネル３は、開口部１ｂに配置されている。図３に示すように、スクリーンパネル３は、水平方向、垂直方向の夫々について板状の桟材の面どうしが等間隔で対向するように複数組み合わせて形成された格子状のパネルである。
【００２６】
例えば、桟材の幅（スクリーンパネルの厚み）を桟材の間隔にほぼ等しくなるように設定した場合、スクリーンパネルの面外方向と視認者の視線方向のなす角度が45度を超えていると視線は桟材によって遮断され被視認者を視認することがない。また、前記角度が45度から０度の範囲においては視線が通り被視認者は視認される。しかしその姿は縦横の桟材によって細かく分断されるので、被視認者の容姿や着衣などを特定することは困難である。さらに、スクリーンパネルの面外方向と自然採光の方向のなす角度が45度から０度の範囲においては採光性が確保される。
【００２７】
かかる構成により、同時に水平方向と上下方向の視線を制限でき、特に水平移動と上下移動を行う外階段２において、通風性や採光性を確保しつつ、効果的に視線を遮蔽することが可能で、使用者や近隣住民のプライバシーを守ることができる。
【００２８】
また、外階段２には手を加えず、形状が単純で寸法を規格化、パターン化しやすい外壁（外周部１ａ）の開口部１ｂにスクリーンパネル３を設置することができ、外階段の形状が複雑であってもコストをおさえることができる。
【００２９】
特に、平面的に所定のモジュール寸法を有するとともに、一定の階高を有する工業化住宅の場合、開口部やスクリーンパネルの規格化、パターン化が容易でスクリーンパネルの製造コストの低減効果が大きい。例えば開口部の幅寸法をモジュールの整数倍とすればスクリーンパネルはモジュールに等しい幅のもの１種類を予め用意すれば全ての開口幅に対応可能である。また、開口部の幅寸法をモジュールの整数倍から所定寸法（例えば柱や柱を被覆する外壁パネルの出寸法）差し引いた寸法とした場合、スクリーンパネルはモジュールに等しい幅のものとモジュールから所定寸法差し引いた端部用のものを予め用意すれば全ての開口幅に対応可能である。
【００３０】
なお、桟材の水平方向の間隔は足掛かりとならない５０ｍｍ程度以下にするのが防犯上や安全上好ましい。また、桟材の幅（スクリーンパネルの厚み）は求められる視線の遮蔽性能に応じて適宜設置する。
【００３１】
また、桟材の材質は、アルミやスチールなどの金属、ＦＲＰなどの合成樹脂等を適宜選択する。また、桟材の材厚は通風や採光上極力薄くするのが好ましいが、桟材の材質や断面寸法、間隔などに応じて適宜決定すればよい。
【００３２】
また、桟材の色は、反射光による採光が期待できる白や銀などの明度の高い淡色が、採光性の点では好ましい。
【００３３】
また、視線の遮蔽性の点においても明度の高い淡色は好ましい。前述の０度から４５度の範囲で正面直視しても桟材に日射が当たってその奥の暗い階段部は視認しにくくなるからである。
【００３４】
なお、図３において、スクリーンパネル３は開口部１ｂの全面を覆っているが、本発明はかかる形態に限定されるものではなく、開口部１ｂの下半分を覆う等、視線の遮蔽性を必要とする部分に配置すればよく、多様な形態で開口部１ｂに配置することができる。
【００３５】
図４に示すように、スクリーンパネル３の桟開口部３ａは、水平方向と垂直方向の２組の対向する二つの内面３ａ１、３ａ２が建物側に向かって徐々に狭くなるように傾斜面をなしている。
【００３６】
スクリーンパネル３は開口部１ｂに配置され、上下端が建物の躯体（梁）に支持された支柱７に設けられた支持部材６と留具５によって挟持される。留具５は、外周面４面が桟開口部の内面３ａ１、３ａ２と同様の角度で傾斜しており、中心部に外側から内側に向かって貫通するボルト穴５ａと、ボルト頭部が埋没し得る凹部とを有している。凹部はボルト頭部に対応した正六角形の形状を有しボルトの回動が抑制される。支持部材６は一端が支柱７躯体に固定され、他端にスクリーンパネル３及び留具５に当接する当接面６ａを有している。支持部材６の当接面６ａには、ボルト穴６ｂが穿孔されている。そしてボルト穴５ａ、６ｂに建物の外側からボルト８を挿入して、スクリーンパネル３を留具５と支持部材６で挟み、建物の内側からボルト８にナットを螺入して支柱７にボルト固定する。
【００３７】
留具５と二つの内面３ａ１、３ａ２は互いに建物の外側から内側に向かって徐々に狭くなるように傾斜しているため、留具５は桟開口部３ａ内に嵌合し、スクリーンパネル３が外れることがない。また、留具５の厚みは、桟開口部３ａに埋没し得るように設定されている。かかる取り付け構造により、スクリーンパネル３をその外側に取付金具やボルトを突出させることなく取り付けることができ、建物１の外観の意匠性を向上させることができる。
【００３８】
また、桟開口部３ａは全て同一形状であるので、留具５を用いて任意の桟開口部３ａでの固定が可能であり、スクリーンパネル３を固定するブラケット等の支持部材６の位置設定の自由度が高い。
【００３９】
さらに、凹部はボルト頭部に対応した形状である為、施工の際にはボルト頭部を押さえておく必要がないので建物の内側からの作業だけでスクリーンパネルの取り付けが可能であり、完成後は、建物の外側から工具を使用してボルト８を緩めることができないので部外者がスクリーンパネル３を外して建物内部に侵入する虞がなく防犯性が高い。
【００４０】
なお、スクリーンパネル３は、少なくとも対向する二つの内面が傾斜面をなしていればよく、内面３ａ１、３ａ２のいずれか一方が傾斜面をなし、他方はストレートな形状であってもよい。
【００４１】
また、留具５は、桟開口部３ａに嵌めてボルト８で固定した場合であっても変形し難く長期間に渡って固定状態を維持できる鋳物製とするのが好ましい。
【００４２】
また、本発明の建物では、外階段２が接する外周部１ａの面のうち少なくとも１面に建物１の外に開口した開口部１ｂを有していればよい。図５（ａ）は外周部１ａの３面が外階段２に接している建物において３面のうち２面に開口部１ｂを設けた建物の平面図である。図５（ｂ）は同じく外周部１ａの３面が外階段２に接している建物において３面の全てに開口部１ｂを設けた建物の平面図である。
【００４３】
図５に示すように、外階段２が接する外周部１ａの面のなかで開口部１ｂを設ける面を増やしてゆくことで、視線の遮蔽性を確保しつつ、通風性、採光性をさらに向上させることができる。
【００４４】
[第二実施形態]
次に本発明に係る建物の第二実施形態について図を用いて説明する。上記第一実施形態と説明の重複する部分については、同一の符号を付して説明を省略する。
【００４５】
図６はスクリーンパネルの他の実施形態を示す図である。図６（ａ）は六角形の桟開口部11ａを集合させた蜂の巣状のスクリーンパネル11である。図６（ｂ）は１点で交わる垂直方向のブレード状の板12ａと、斜め方向のブレード状の板12ｂ、12ｃを所定の間隔で配置したスクリーンパネル12である。図６（ｃ）は図６（ｂ）のスクリーンパネル12の三角形の桟開口部12ｄの位置を垂直方向にずらしたスクリーンパネル13である。図６（ｄ）は図６（ｇ）のスクリーンパネル17の交点を通るように垂直方向と水平方向にブレード状の板14ａ、14ｂを追加したスクリーンパネル14である。図６（ｅ）は１点で交わる垂直方向と水平方向のブレード状の板15ｂと、斜め方向のブレード状の板15ｃを所定の間隔で配置したスクリーンパネル15である。図６（ｆ）は円形の桟開口部16ａを集合させた平面形状のスクリーンパネル16である。図６（ｇ）はブレード状の板17ａ、17ｂを直交する斜め方向に所定の間隔で配置したスクリーンパネル17である。図６（ｈ）は八角形の桟開口部18ａと正方形の桟開口部18ｂを集合させた平面形状のスクリーンパネル18である。
【００４６】
本実施形態にかかる建物は、上記第一実施形態のスクリーンパネル３に変えてスクリーンパネル11〜18を用いたものである。上記いずれのスクリーンパネル11〜18においても、通風性、採光性、視線の遮蔽性を備えている。かかる構成により、同時に水平方向と上下方向の視線を制限でき、特に水平移動と上下移動を行う外階段２において、視線の遮蔽効果を高めることができる。
【００４７】
また、上記いずれのスクリーンパネル11〜18においても、夫々の桟開口部11ａ〜18ｂに対応した形状の留具５を用いることができる。これによってスクリーンパネル11〜18の外側に取付金具やボルトを突出させることなく取り付けることができ、建物１の外観の意匠性を向上させることができる。また、桟開口部３ａ〜18ｂの形状に対応した留具５を用いることにより任意の桟開口部での固定が可能であり、スクリーンパネル11〜18を固定するブラケット等の支持部材６の位置設定の自由度が高まる。さらに、凹部はボルト頭部に対応した形状である為、建物の外側から工具を使用してボルトを緩めることができないので部外者がスクリーンパネル３〜18を外して建物内部に侵入する虞がなく防犯性が高めることができる。
【００４８】
[第三実施形態]
次に本発明に係る建物の第三実施形態について図を用いて説明する。図７（ａ）は本実施形態にかかる建物のスクリーンパネルの斜視図である。図７（ｂ）は本実施形態にかかる建物のスクリーンパネルの断面図である。上記第一実施形態と説明の重複する部分については、同一の符号を付して説明を省略する。
【００４９】
図７に示すように、本実施形態にかかる建物は、上記第一実施形態のスクリーンパネル３に変えてスクリーンパネル20を用い、支持部材６に変えて支持部材26を用いたものである。スクリーンパネル20は、２つのテーパ形状の桟材の肉厚側の小口を貼り合わせたような断面形状であり、桟材の厚みが建物の外側から内側の肉厚部20ｃに向かうにつれ徐々に増したあと、肉厚部20ｃから建物内側に向かうにつれ徐々に低減している。すなわち、スクリーンパネル20の桟開口部20ａは、水平方向と垂直方向の２組の対向する二つの内面20ａ１、20ａ２が建物外側から建物側の肉厚部20ｃに向かって徐々に狭くなるように傾斜面をなしており、水平方向と垂直方向の２組の対向する二つの内面20ａ３、20ａ４が肉厚部20ｃから建物内側に向かって徐々に広くなるように傾斜面をなしている。
【００５０】
留具５は、外周面４面が桟開口部の内面20ａ１、20ａ２と同様の角度で傾斜しており、先端が肉厚部20ｃまで入ったところで留まり、桟開口部20ａ内に嵌合する。
【００５１】
支持部材26は、支持部材６の当接面６ａの外周面にテーパーを設け、内面20ａ３、20ａ４と同様の角度で傾斜した傾斜面26ａ１を設けたものである。支持部材26の当接面26ａは、肉厚部20ｃまで入ったところで留まり、桟開口部20ａ内に嵌合する。
【００５２】
そして、留具５と支持部材26が当接した状態で、ボルト穴５ａ、26ｂに建物の外側からボルト８を挿入して、スクリーンパネル20を留具５と支持部材26で挟み、建物の内側からボルト８にナットを螺入して支柱７にボルト固定する。
【００５３】
留具５と二つの内面20ａ１、20ａ２は互いに建物の外側から内側に向かって徐々に狭くなるように傾斜しているため、留具５は桟開口部20ａ内に嵌合し、スクリーンパネル20が建物の外側に外れることがない。また、支持部材26の傾斜面26ａ１と二つの内面20ａ３、20ａ４は互いに建物の内側から外側に向かって徐々に狭くなるように傾斜しているため、支持部材26は桟開口部20ａ内に嵌合し、スクリーンパネル20が建物の内側に外れることもない。従って、スクリーンパネル20は留具５と支持部材26により固定される。
【００５４】
桟材をこのような断面形状とすることで、スクリーンパネルの奥行きを大きくした場合でも桟材の厚みが不必要に大きくならない。この為、建物外側の開口面積を一定とした場合にスクリーンパネルの開口率を大きくすることができ採光や通風上好ましい。また、スクリーンパネルを軽量化することができ建物の構造設計上も好ましく施工性もよい。さらに、建物の内側から見ても桟材の厚みが露呈しにくいので軽快感を演出することができる。
【産業上の利用可能性】
【００５５】
本発明の活用例として、外階段に限らず、建物外周部に外廊下等人が通行する空間を有する建物には類似した問題があるため、柱梁架構体で囲み、視線にさらされやすい面をスクリーンパネルとすれば、特に手摺を設ける必要もなく、美的に良好な環境でプライバシーを守ることができる。
【図面の簡単な説明】
【００５６】
【図１】第一実施形態にかかる建物の斜視図である。
【図２】スクリーンパネルを取り付ける前の建物の斜視図である。
【図３】スクリーンパネルの取り付け構造の説明図である。
【図４】スクリーンパネルの取り付け構造の説明図である。
【図５】スクリーンパネルの取り付ける面を複数設けた建物の平面図である。
【図６】第二実施形態にかかる建物のスクリーンパネルの平面図である。
【図７】第三実施形態にかかる建物のスクリーンパネルの斜視図、断面図である。
【符号の説明】
【００５７】
１    …建物
１ａ  …外周部
１ｂ  …開口部
２    …外階段
３、11〜18、20    …スクリーンパネル
３ａ  …桟開口部
３ａ１、３ａ２、20ａ１〜20ａ４ …内面
４    …共用エントランス
５    …留具
５ａ  …ボルト穴
６、26    …支持部材
６ａ、26ａ  …当接面
６ｂ、26ｂ  …ボルト穴
７    …躯体
８    …ボルト
20ｃ  …肉厚部
26ａ１ …傾斜面
【図１】
2007070960.tif 000003
【図２】
2007070960.tif 000004
【図３】
2007070960.tif 000005
【図４】
2007070960.tif 000006
【図５】
2007070960.tif 000007
【図６】
2007070960.tif 000008
【図７】
2007070960.tif 000009